【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】
合焦光学系を合焦制御装置により合焦駆動するオートフォーカスモードと、撮影者が前記合焦光学系を駆動するマニュアルフォーカスモードとを切替可能なレンズ鏡筒であって、
前記マニュアルフォーカス時に前記駆動のための操作を行う操作部と、
前記オートフォーカスモードと前記マニュアルフォーカスモードとのいずれのモードでも前記合焦光学系を駆動する合焦光学系駆動部と、
前記合焦制御装置による駆動量を前記合焦光学系駆動部の駆動に変換する第１の変換部と、前記操作部の操作量を前記合焦光学系駆動部の駆動に変換する第２の変換部とを含む変換部を備え、
前記第１の変換部における変換と前記第２の変換部における変換とは変換比率が異なることを特徴とするレンズ鏡筒。
【請求項２】
請求項１に記載のレンズ鏡筒において、
前記変換部は、前記合焦光学系駆動部と一体的に設けられていることを特徴とするレンズ鏡筒。
【請求項３】
請求項１又は請求項２に記載のレンズ鏡筒において、
前記オートフォーカスモードと前記マニュアルフォーカスモードとの切替は、前記操作部を前記合焦光学系の光軸方向に操作することにより行われることを特徴とするレンズ鏡筒。
【請求項４】
請求項１から請求項３のいずれか１項に記載のレンズ鏡筒において、
前記第１の変換部は前記合焦制御装置からの駆動力が伝わる第１の環状部を有し、前記第２の変換部は前記操作部材からの駆動力が伝わり前記第１の環状部とは径が異なる第２の環状部とを有することを特徴とするレンズ鏡筒。
【請求項５】
請求項１から請求項４のいずれか１項に記載のレンズ鏡筒において、
前記第１の変換部と前記第２の変換部とは前記合焦光学系の光軸に直交する方向に回転中心を有することを特徴とするレンズ鏡筒。
【請求項６】
請求項１から請求項５までのいずれか１項に記載のレンズ鏡筒において、
前記合焦制御装置は、前記レンズ鏡筒が装着されるカメラ内に備わっていることを特徴とするレンズ鏡筒。
【請求項７】
合焦制御装置が回転駆動装置を介して合焦光学系を駆動制御するオートフォーカスモードと、撮影者が前記合焦光学系を駆動するマニュアルフォーカスモードとが選択可能なレンズ鏡筒であって、
連動リングと該連動リングにカム機構を介して連結された合焦光学系保持部材とからなり、該連動リングへの回転入力に応じて該合焦光学系保持部材を固定筒に対し光軸に沿って移動させる合焦光学系移動装置と、
前記オートフォーカスモードを選択するオートフォーカス位置と、前記マニュアルフォーカスモードを選択するマニュアルフォーカス位置とに前記固定筒に対して前後移動可能で、かつ、マニュアルフォーカス位置に切換えられた際には、手動による回動操作が可能となるマニュアルフォーカス環と、
前記マニュアルフォーカス環がオートフォーカス位置に切り換えられたときには、前記回転駆動装置の回転力を前記連動リングに伝達する一方、前記マニュアルフォーカス環がマニュアルフォーカス位置に切り換えられたときには、該マニュアルフォーカス環の回転力を前記連動リングに伝達するクラッチ装置と、
前記マニュアルフォーカス環を前記オートフォーカス位置または前記マニュアルフォーカス位置に係止・保持するディテント機構と
を有し、
前記クラッチ装置は、
前記連動リングの外周に回動自在に保持され、前記マニュアルフォーカス位置で前記マニュアルフォーカス環に転接し、前記オートフォーカス位置で前記固定筒に転接する一方、前記マニュアルフォーカス環に転接する部位の外径と前記固定筒に転接する部位の外径とが異なる段付アイドルローラと、
前記回転駆動装置を該段付アイドルローラを介して前記固定筒に押圧する付勢部材と
を備えたことを特徴とするレンズ鏡筒。
【請求項８】
前記段付アイドルローラは、前記光軸に直交する方向に回転中心を有することを特徴とする、請求項７記載のレンズ鏡筒。
【手続補正２】
【補正対象書類名】明細書
【補正対象項目名】０００８
【補正方法】変更
【補正の内容】
【０００８】
【課題を解決するための手段】
上記課題を解決するために、請求項１の発明では、合焦光学系を合焦制御装置により合焦駆動するオートフォーカスモードと、撮影者が前記合焦光学系を駆動するマニュアルフォーカスモードとを切替可能なレンズ鏡筒であって、前記マニュアルフォーカス時に前記駆動のための操作を行う操作部と、前記オートフォーカスモードと前記マニュアルフォーカスモードとのいずれのモードでも前記合焦光学系を駆動する合焦光学系駆動部と、前記合焦制御装置による駆動量を前記合焦光学系駆動部の駆動に変換する第１の変換部と、前記操作部の操作量を前記合焦光学系駆動部の駆動に変換する第２の変換部とを含む変換部を備え、前記第１の変換部における変換と前記第２の変換部における変換とは変換比率が異なるものを提案する。
請求項２の発明では、請求項１に記載のレンズ鏡筒において、前記変換部は、前記合焦光学系駆動部と一体的に設けられているものを提案する。
請求項３の発明では、請求項１又は請求項２に記載のレンズ鏡筒において、前記オートフォーカスモードと前記マニュアルフォーカスモードとの切替は、前記操作部を前記合焦光学系の光軸方向に操作することにより行われるものを提案する。
請求項４の発明では、請求項１から請求項３のいずれか１項に記載のレンズ鏡筒において、前記第１の変換部は前記合焦制御装置からの駆動力が伝わる第１の環状部を有し、前記第２の変換部は前記操作部材からの駆動力が伝わり前記第１の環状部とは径が異なる第２の環状部とを有するものを提案する。
請求項５の発明では、請求項１から請求項４のいずれか１項に記載のレンズ鏡筒において、前記第１の変換部と前記第２の変換部とは前記合焦光学系の光軸に直交する方向に回転中心を有するものを提案する。
請求項６の発明では、請求項１から請求項５までのいずれか１項に記載のレンズ鏡筒において、前記合焦制御装置は、前記レンズ鏡筒が装着されるカメラ内に備わっているものを提案する。
請求項７の発明では、合焦制御装置が回転駆動装置を介して合焦光学系を駆動制御するオートフォーカスモードと、撮影者が前記合焦光学系を駆動するマニュアルフォーカスモードとが選択可能なレンズ鏡筒であって、連動リングと該連動リングにカム機構を介して連結された合焦光学系保持部材とからなり、該連動リングへの回転入力に応じて該合焦光学系保持部材を固定筒に対し光軸に沿って移動させる合焦光学系移動装置と、前記オートフォーカスモードを選択するオートフォーカス位置と、前記マニュアルフォーカスモードを選択するマニュアルフォーカス位置とに前記固定筒に対して前後移動可能で、かつ、マニュアルフォーカス位置に切換えられた際には、手動による回動操作が可能となるマニュアルフォーカス環と、前記マニュアルフォーカス環がオートフォーカス位置に切り換えられたときには、前記回転駆動装置の回転力を前記連動リングに伝達する一方、前記マニュアルフォーカス環がマニュアルフォーカス位置に切り換えられたときには、該マニュアルフォーカス環の回転力を前記連動リングに伝達するクラッチ装置と、前記マニュアルフォーカス環を前記オートフォーカス位置または前記マニュアルフォーカス位置に係止・保持するディテント機構とを有し、前記クラッチ装置は、前記連動リングの外周に回動自在に保持され、前記マニュアルフォーカス位置で前記マニュアルフォーカス環に転接し、前記オートフォーカス位置で前記固定筒に転接する一方、前記マニュアルフォーカス環に転接する部位の外径と前記固定筒に転接する部位の外径とが異なる段付アイドルローラと、前記回転駆動装置を該段付アイドルローラを介して前記固定筒に押圧する付勢部材とを備えたものを提案する。
【手続補正３】
【補正対象書類名】明細書
【補正対象項目名】０００９
【補正方法】変更
【補正の内容】
【０００９】
この請求項７の発明では、撮影者がマニュアルフォーカス環を把持したままでこれを前方あるいは後方に移動させると、クラッチ装置によるオートフォーカスモードとマニュアルフォーカスモードとの間の切換えが行われる。そして、オートフォーカスモード時においては、回転駆動装置が付勢部材により段付アイドルローラの大径側（あるいは、小径側）を介して固定筒に押圧される一方、マニュアルフォーカス環は段付アイドルローラから離間している。これにより、回転駆動装置の回転駆動力が段付アイドルローラを保持した連動リングに伝達され、合焦光学系保持部材が進退してオートフォーカシングが行われる。また、マニュアルフォーカスモード時においては、例えば、撮影者がマニュアルフォーカス環を後方に移動させると、付勢部材の付勢力に打ち勝ってマニュアルフォーカス環が段付アイドルローラの小径側（あるいは、大径側）と当接する一方、電力の供給が停止されて回転駆動装置が回転しなくなる。これにより、マニュアルフォーカス環の回転操作力が段付アイドルローラを保持した連動リングに伝達され、合焦光学系保持部材が進退してマニュアルフォーカシングが行われる。また、マニュアルフォーカス環は、ディテント機構によりオートフォーカス位置あるいはマニュアルフォーカス位置で保持されるため、モード切換時における節度等が向上する。更に、段付アイドルローラにおけるマニュアルフォーカス環に転接する部位の外径と固定筒に転接する部位の外径とを適宜増減することにより、マニュアルフォーカス環の∞位置から至近位置までの回転角も自由に設定することができる。
【手続補正４】
【補正対象書類名】明細書
【補正対象項目名】００１０
【補正方法】変更
【補正の内容】
【００１０】
また、請求項８の発明では、請求項７のレンズ鏡筒において、前記段付アイドルローラは、前記光軸に直交する方向に回転中心を有するものを提案する。
この発明では、段付アイドルローラは、固定筒や回転駆動装置、マニュアルフォーカス環の回転方向に略沿って回転することになるため、接触面の滑りや摩耗等が生じ難くなる。
【手続補正５】
【補正対象書類名】明細書
【補正対象項目名】００２５
【補正方法】変更
【補正の内容】
【００２５】
【発明の効果】
本発明の一態様によれば、合焦制御装置が回転駆動装置を介して合焦光学系を駆動制御するオートフォーカスモードと、撮影者が前記合焦光学系を駆動するマニュアルフォーカスモードとが選択可能なレンズ鏡筒であって、連動リングと該連動リングにカム機構を介して連結された合焦光学系保持部材とからなり、該連動リングへの回転入力に応じて該合焦光学系保持部材を固定筒に対し光軸に沿って移動させる合焦光学系移動装置と、前記オートフォーカスモードを選択するオートフォーカス位置と、前記マニュアルフォーカスモードを選択するマニュアルフォーカス位置とに前記固定筒に対して前後移動可能で、かつ、マニュアルフォーカス位置に切換えられた際には、手動による回動操作が可能となるマニュアルフォーカス環と、前記マニュアルフォーカス環がオートフォーカス位置に切り換えられたときには、前記回転駆動装置の回転力を前記連動リングに伝達する一方、前記マニュアルフォーカス環がマニュアルフォーカス位置に切り換えられたときには、該マニュアルフォーカス環の回転力を前記連動リングに伝達するクラッチ装置と、前記マニュアルフォーカス環を前記オートフォーカス位置あるいは前記マニュアルフォーカス位置でそれぞれ保持するディテント機構とを備えたため、撮影者がマニュアルフォーカス環を把持したままでこれを前方あるいは後方に移動させることによりモード切換が迅速かつ容易に行われるようになり、シャッターチャンスを逃したり、ファインダ内の被写体を見失う頻度が少なくなる他、マニュアルフォーカス環がオートフォーカス位置とマニュアルフォーカス位置とで保持されるために良好な操作性が得られる。
【手続補正６】
【補正対象書類名】明細書
【補正対象項目名】符号の説明
【補正方法】変更
【補正の内容】
【符号の説明】
１‥‥固定筒
５‥‥後部固定筒
７‥‥外部固定筒
１３‥‥内部固定筒
２３‥‥内接ギヤ環
２５‥‥第１ウェーブワッシャ
２７‥‥鏡筒側カプラ
３１‥‥ピニオン
３３‥‥第２レンズ群
３５‥‥第３レンズ群
３７‥‥合焦光学系保持環
３９‥‥リード溝
４１‥‥連動ピン
４５‥‥連動リング
５３‥‥段付アイドルローラ
５５‥‥軌道環
６１‥‥マニュアルフォーカス環
６３‥‥ローラ駆動環
６５‥‥第２ウェーブワッシャ
６７‥‥ブラシ
６９‥‥フレキシブルプリント基板
７１‥‥ディテント機構
７３‥‥第１環状溝
７５‥‥第２環状溝
７９‥‥ディテントボール
８１‥‥コイルスプリング
Ｌ‥‥光軸